【手続補正書】
【提出日】平成16年8月20日(2004.8.20)
【手続補正１】
【補正対象書類名】明細書
【補正対象項目名】特許請求の範囲
【補正方法】変更
【補正の内容】
【特許請求の範囲】
【請求項１】
パイプラインの壁の異常を診断するためのパイプライン壁の異常診断装置であって、
ほぼ円筒形状の本体と、
前記パイプラインの壁に関して前記本体を支持するための手段と、
前記パイプラインを通して前記本体を推進させるための手段と、
前記本体に電力を供給するための手段と、
データを格納するための手段と、
前記本体の周囲に複数配置され、それぞれは、前記本体に弾性的に設置されて、前記装置が前記パイプラインを通って走行して障害にあう場合に、その棒の半径方向内側および半径方向外側の動きが許容されて前記装置のための間隔を定める棒と、
前記本体に隣接する前記パイプラインの壁の部分を通る磁界を発生させて送るために前記各棒に設置された磁界発生手段と、
前記各棒に設置されて、前記パイプラインの壁の異常によってもたらされる前記本体の近辺の漏洩磁束を測定するための漏洩磁束測定手段と、
前記データ格納手段に前記漏洩磁束の測定値を送る手段と、
前記磁界発生手段に隣接して前記各棒に設置され、前記磁界発生手段と前記漏洩磁束測定手段の摩耗を減少させるように、前記本体が前記パイプラインを通して動くときに前記パイプラインの壁に対して前記本体を支持する複数のホイールと
を備えたことを特徴とするパイプライン壁の異常診断装置。
【請求項２】
請求項１に記載のパイプライン壁の異常診断装置において、
前記漏洩磁束測定手段は、
センサー本体と、
絶対磁界の検出能力があって、前記センサー本体に収容される少なくとも１つの検出素子とを含み、
前記センサー本体は、前記装置が前記パイプラインを通って動くときに、前記パイプラインの壁の輪郭に添うことができるような柔軟性があり、前記検出素子を前記パイプラインの壁に関して実質的に一定の方向に保つことを特徴とするパイプライン壁の異常診断装置。
【請求項３】
請求項２に記載のパイプライン壁の異常診断装置において、前記センサー本体の上側表面に設置されて、前記センサー本体の摩耗を減少させると共に前記検出素子を損失から守る非強磁性の摩耗減少手段をさらに含むことを特徴とするパイプライン壁の異常診断装置。
【請求項４】
請求項３に記載のパイプライン壁の異常診断装置において、前記摩耗減少手段と前記検出素子は共に結合されて一体のユニットを構成することを特徴とするパイプライン壁の異常診断装置。
【請求項５】
請求項３に記載のパイプライン壁の異常診断装置において、前記摩耗減少手段は、前記パイプラインの壁の輪郭にほぼ沿って形成されていることを特徴とするパイプライン壁の異常診断装置。
【請求項６】
請求項３に記載のパイプライン壁の異常診断装置において、前記摩耗減少手段は、当てプレートと少なくとも１つの当てパッドを含むことを特徴とするパイプライン壁の異常診断装置。
【請求項７】
請求項２に記載のパイプライン壁の異常診断装置において、前記検出素子は、前記本体の周回りにほぼ等間隔に配置されることを特徴とするパイプライン壁の異常診断装置。
【請求項８】
請求項７に記載のパイプライン壁の異常診断装置において、隣接する検出素子のそれぞれの中心の相互間の距離が６ｍｍより小さいことを特徴とするパイプライン壁の異常診断装置。
【請求項９】
請求項２に記載のパイプライン壁の異常診断装置において、前記センサー本体の横断面形状はほぼ平行四辺形であることを特徴とするパイプライン壁の異常診断装置。
【請求項１０】
請求項９に記載のパイプライン壁の異常診断装置において、前記センサー本体は、耐石油化学薬品性、および０℃から８０℃までの耐熱性があって、約３７００ポンド毎平方インチまでの圧力に耐えられる単一の重合体であることを特徴とするパイプライン壁の異常診断装置。
【請求項１１】
請求項１０に記載のパイプライン壁の異常診断装置において、前記センサー本体はポリウレタンによって構成されていることを特徴とするパイプライン壁の異常診断装置。
【請求項１２】
請求項１に記載のパイプライン壁の異常診断装置において、
記磁界発生手段は、
棒の一端上の第１の磁石の上方に配置される第１のスチール収容ブラシと、
前記第１の磁石とは逆の磁極性である前記棒の他端上の第２の磁石の上方に配置される第２のスチール収容ブラシと
を含み、
前記ブラシの上側表面は、常に、前記パイプラインの壁に比較的緊密に接触することになることを特徴とするパイプライン壁の異常診断装置。
【請求項１３】
請求項１２に記載のパイプライン壁の異常診断装置において、前記ブラシは、プラスチック樹脂内に入れられて結束された複数のスチールケーブルを含み、そしてスチール殻板の上に配設されることを特徴とするパイプライン壁の異常診断装置。
【請求項１４】
請求項１３に記載のパイプライン壁の異常診断装置において、前記プラスチック用樹脂はポリウレタンであることを特徴とするパイプライン壁の異常診断装置。
【請求項１５】
パイプラインの壁の異常を診断するためのパイプライン壁の異常診断装置であって、
前記装置に電力を供給するための手段を収容するほぼ円筒形状の第１の区分と、
当該区分の近辺の前記パイプラインの壁の部分を通る磁界を発生して送るための磁界発生手段、および前記パイプラインの壁の異常によってもたらされる漏洩磁束を検知するための漏洩磁束検知手段をもつほぼ円筒形状の第２の区分と、
前記装置によって検索されたデータを格納するための手段をもつほぼ円筒形状の第３の区分と、
前記第２の区分の周囲に複数配置され、それぞれは、前記第２の区分に弾性的に設置されて、前記装置が前記パイプラインを通って走行して障害にあう場合に、その棒の半径方向内側および半径方向外側の動きが許容されて前記装置のための間隔を定める棒と、
前記第２の区分に隣接する前記パイプラインの壁の部分を通る磁界を発生させて送るために前記各棒に設置された磁界発生手段と、
前記各棒に設置されて、前記パイプラインの壁の異常によってもたらされる前記第２の区分の近辺の漏洩磁束を測定するための漏洩磁束測定手段と、
前記パイプラインの壁に関して前記各区分を支持するための手段と、
前記パイプラインを通して前記各区分を推進させるための手段と、
前記データ格納手段に前記漏洩磁束の測定値を送る手段と、
前記磁界発生手段に隣接して前記各棒に設置され、前記磁界発生手段と前記漏洩磁束測定手段の摩耗を減少させるように、前記装置が前記パイプラインを通して動くときに前記パイプラインの壁に対して前記装置を支持する複数のホイールとを備え、
隣接する前記各区分は、前記パイプライン内の曲がり部と絞り部を通る前記装置の動きを許容するために、フレキシブルリンクによって連結されることを特徴とするパイプライン壁の異常診断装置。
【手続補正２】
【補正対象書類名】明細書
【補正対象項目名】００１２
【補正方法】変更
【補正の内容】
【００１２】
【課題を解決するための手段】
この発明は、パイプラインの壁の異常を診断するためのパイプライン壁の異常診断装置であって、ほぼ円筒形状の本体と、前記パイプラインの壁に関して前記本体を支持するための手段と、前記パイプラインを通して前記本体を推進させるための手段と、前記本体に電力を供給するための手段と、データを格納するための手段と、前記本体の周囲に複数配置され、それぞれは、前記本体に弾性的に設置されて、前記装置が前記パイプラインを通って走行して障害にあう場合に、その棒の半径方向内側および半径方向外側の動きが許容されて前記装置のための間隔を定める棒と、前記本体に隣接する前記パイプラインの壁の部分を通る磁界を発生させて送るために前記各棒に設置された磁界発生手段と、前記各棒に設置されて、前記パイプラインの壁の異常によってもたらされる前記本体の近辺の漏洩磁束を測定するための漏洩磁束測定手段と、前記データ格納手段に前記漏洩磁束の測定値を送る手段と、前記磁界発生手段に隣接して前記各棒に設置され、前記磁界発生手段と前記漏洩磁束測定手段の摩耗を減少させるように、前記本体が前記パイプラインを通して動くときに前記パイプラインの壁に対して前記本体を支持する複数のホイールとを備えたことを特徴とする。
【手続補正３】
【補正対象書類名】明細書
【補正対象項目名】００１３
【補正方法】変更
【補正の内容】
【００１３】
また、この発明は、パイプラインの壁の異常を診断するためのパイプライン壁の異常診断装置であって、前記装置に電力を供給するための手段を収容するほぼ円筒形状の第１の区分と、当該区分の近辺の前記パイプラインの壁の部分を通る磁界を発生して送るための磁界発生手段、および前記パイプラインの壁の異常によってもたらされる漏洩磁束を検知するための漏洩磁束検知手段をもつほぼ円筒形状の第２の区分と、前記装置によって検索されたデータを格納するための手段をもつほぼ円筒形状の第３の区分と、前記第２の区分の周囲に複数配置され、それぞれは、前記第２の区分に弾性的に設置されて、前記装置が前記パイプラインを通って走行して障害にあう場合に、その棒の半径方向内側および半径方向外側の動きが許容されて前記装置のための間隔を定める棒と、前記第２の区分に隣接する前記パイプラインの壁の部分を通る磁界を発生させて送るために前記各棒に設置された磁界発生手段と、前記各棒に設置されて、前記パイプラインの壁の異常によってもたらされる前記第２の区分の近辺の漏洩磁束を測定するための漏洩磁束測定手段と、前記パイプラインの壁に関して前記各区分を支持するための手段と、前記パイプラインを通して前記各区分を推進させるための手段と、前記データ格納手段に前記漏洩磁束の測定値を送る手段と、前記磁界発生手段に隣接して前記各棒に設置され、前記磁界発生手段と前記漏洩磁束測定手段の摩耗を減少させるように、前記装置が前記パイプラインを通して動くときに前記パイプラインの壁に対して前記装置を支持する複数のホイールとを備え、隣接する前記各区分は、前記パイプライン内の曲がり部と絞り部を通る前記装置の動きを許容するために、フレキシブルリンクによって連結されることを特徴とする。